(57)【特許請求の範囲】
【請求項１】
底壁によって互いに結合された長辺側壁と短辺側壁とを組み合わされて、概ねＵ字形状を形成し、前記長辺側壁が、インフレータの発射レバーの直立アームを覆い隠すように構成されて、寸法決めされており、前記底壁が、前記発射レバーの下脚部を覆い隠すように構成されて、寸法決めされる、インフレータ用インジケータ。
【請求項２】
前記長辺側壁の底部と前記底壁の左側部分とを相互接続するコーナ壁と、前記底壁の右側部分と前記短辺側壁とを相互接続するコーナ壁とをさらに含む、請求項１に記載のインジケータ。
【請求項３】
前記長辺側壁、前記底壁および前記短辺側壁の前側縁部は、前記インフレータを完全に巻き付け、前記インジケータを前記インフレータに載せるように構成されて、寸法決めされた弓状の縁部壁を含む、請求項２に記載のインジケータ。
【請求項４】
前記長辺側壁および前記短辺側壁が、前記インフレータにスナップ嵌めし、前記インフレータをより強く把持するために、前記長辺側壁および前記短辺側壁を広げなければならない程度を大きくするように、前記長辺側壁および前記短辺側壁がわずかに収縮した形状で射出成形される、請求項２に記載のインジケータ。
【請求項５】
前記長辺側壁および前記短辺側壁の間の距離を掛け渡すように延びるブリッジをさらに備える、請求項１に記載のインジケータ。
【請求項６】
前記ブリッジは、前記発射レバーがその発射位置に移動したときに破断する薄い材料で構成された、請求項５に記載のインジケータ。
【請求項７】
前記ブリッジは、前記インジケータの射出成形中において一体的に形成される、請求項６に記載のインジケータ。
【請求項８】
前記ブリッジは、前記インフレータにおける対応するスロットと整列して、前記スロットに延びている、請求項５に記載のインジケータ。
【請求項９】
前記ブリッジは、部分的に形成された切欠きを備えて、前記ブリッジがスロットから飛び出るように前記発射レバーが外方に旋回したとき、前記切欠きで前記ブリッジが強制的に破断するよう構成される、請求項５に記載のインジケータ。
【請求項１０】
インジケータが前記インフレータにより確実に保持されるために、前記インフレータにおける対応するスロットに嵌合する少なくとも１つのタブをさらに含む、請求項１に記載のインジケータ。
【請求項１１】
前記タブが前記長辺側壁に配置されている、請求項１０に記載のインジケータ。
【請求項１２】
前記タブが前記短辺側壁に配置されている、請求項１０に記載のインジケータ。
【請求項１３】
前記タブが前記底壁に配置されている、請求項１０に記載のインジケータ。
【請求項１４】
前記タブは、前記底壁のコーナに配置され、下側凹部に形成されたリップに引っ掛けられるフックを含む、請求項１０に記載のインジケータ。
【請求項１５】
前記タブが挿入を容易にする角度を有する、請求項１０に記載のインジケータ。
【請求項１６】
前記ブリッジは、スロット内に嵌合する内側に延びるタブを備えて、前記スロット内のセンタリングを容易にし、前記ブリッジが破断するのを容易にする、請求項５に記載のインジケータ。
【請求項１７】
前記発射レバーが赤色であり、インジケータが緑色であり、前記赤色の発射レバーを覆い隠すように前記緑色のインジケータが前記インフレータにスナップ嵌めされたとき、前記インジケータは、全方向から視覚的に「作動可能」または「準備完了」の状態を示し、前記発射レバーを旋回させるために前記インフレータが発射すると、前記インジケータが前記インフレータを飛び出し「作動不能」または「発射された」状態を示すように構成された、請求項１に記載のインジケータ。
【発明の詳細な説明】
【技術分野】
【０００１】
本出願は、２０１５年３月２３日に出願された仮出願、出願番号第６２／１３６，６８４号の利益を主張し、その開示は参照により本明細書に組み込まれる。
【０００２】
本発明は、救命胴衣、救命ボート、浮き（ブイ）、および緊急信号装置などの物品を膨らませるためのインフレータに関する。より詳細には、本発明は、インフレータが以前に発射されて、もはや膨張可能な物品を膨らませることができないことを示す、インフレータ用安全インジケータに関する。
【背景技術】
【０００３】
現在、救命胴衣（ライフベスト、浮き輪、および馬蹄形浮き袋）、救命ボート、浮き（ブイ）及び緊急信号装置のような膨張可能な物品を膨らませるように設計された多くの形式のインフレータがある。インフレータは、典型的には、二酸化炭素のような圧縮ガスのカートリッジのネックを装着するための本体を含む。往復動する穿孔ピンは、インフレータの本体内に配置され、カートリッジの破れやすいシールを突き刺して、圧縮されたガスを膨張物品に流れ込ませることを可能にする。典型的には、手動の発射レバーが穿孔ピンに動作可能に接続されており、ボール／ジャーク・ストラップ（ＪＥＲＫ  ＬＡＮＹＡＲＤ）の動いたとき、穿孔ピンがカートリッジの破れやすいシールを突き刺す。米国特許第５，０８０，４０２号、同第５，０５８，９３３号、同第５，０５８，９３２号、同第４，２１６，１８２号、同第３，８０９，２８８号、および同第３，７５４，７３１号は、それぞれの開示が参照により本明細書に組み込まれ、発射時に、ガスカートリッジからのガスがインフレータを通り、次にマニホールドを通って膨張可能物品に流れることを可能とするように、膨張可能物品に接続する膨張マニホールドを用いた手動のインフレータの特定の一実施形態を示している。米国特許第７，４７５，７１１号、第５，５６４，４７８号および第４，８９４，０３６号は、それぞれの開示が参照により本明細書に組み込まれ、膨張可能物品に直接ヒートシールされ、それにより膨張マニホールドが必要の無い手動のインフレータの他の実施形態を示している。
【０００４】
水で活性化するアクチュエータは、手動のインフレータに組み込まれており、墜落した飛行士、負傷者または船外の人などの緊急事態において、インフレータが自動的に作動して、接続されている膨張可能物品を膨らませる。インフレータ用の代表的な自動アクチュエータは、米国特許に開示されている。第３，０５９，８１４号、第３，０９１，７８２号、第３，４２６，９４２号、第３，５７９，９６４号、第３，７０２，０１４号、第３，７５７，３７１号、第３，９１０，４５７号、第３，９９７，０７９号、第４，２６０，０７５号、第４，２６７，９４４号、第４，２６０，０７５号、第４，３８２，２３１号、第４，４３６，１５９号、第４，５１３，２４８，４６２７，８２３号、第５，５０２，３１０号、第５，０７６，４６８号、第５，４００，９２２号、第５，５０９，５７６号および５，６０１，１２４号のそれぞれの開示は、参照により本明細書に組み込まれる。
【０００５】
インフレーターが発射のための「準備完了」状態にあるのか、または以前に発射されたか、または不足しているガスカートリッジに起因して作動不能であるかどうか、または不注意な発射を防止するために、状態インジケータまたは安全装置（ＧＵＡＲＤＳ）が開発されている。米国特許第４，４１６，３９３号、第５，６９４，９８６号、第５，７７５，３５８号、第６，５８９，０８７号、第８，３６０，２７６号は、インフレータの作動状態を示す様々な形式のインジケータ／安全装置を開示している。米国特許第７，４７５，７１１号および第５，５６４，４７８号は、ヒートシール可能なインフレータの発射レバーをインフレータの側部と実質的に同一面で通常の非発射位置に保持して、発射レバーがそこから突出しておらず、不注意で掴んだり、邪魔されることがない構成を開示している。米国特許第７，４７５，７１１号は、さらに、ハンドルを動かすことによって発射すると、発射レバーが旋回して安全クリップを飛ばして、ガスカートリッジが発射したことを示す赤色のフラッグを露出させている。
【発明の概要】
【発明が解決しようとする課題】
【０００６】
米国特許第７，４７５，７１１号および第５，５６４，４７８号の安全クリップは、インフレータの発射状態を示すために業界で広く受け入れられている。しかし、そのような安全クリップは小さく、発射状態またはインフレータの状態を示すために、一方向からかろうじて見ることができる。したがって、現在、すべての角度から目ることができ、さらに良く見える状態インジケータの必要性が存在する。
【０００７】
本発明の他の目的は、インフレータが以前に発射された状態を示すために、インフレータのためのポップオフ（ＰＯＰ−ＯＦＦ）インジケータを提供することである。
【０００８】
本発明の他の目的は、あらゆる角度から見ることができるインフレータの状態インジケータを提供することである。
【０００９】
本発明の他の目的は、発射レバー、好ましくは赤色の発射レバーを完全に覆い、好ましくは緑色の状態インジケータを提供することであり、準備完了の「緑色」状態において、緑色の状態インジケータが赤色の発射レバーを隠し、「ゴー（ＧＯ）」又は「緑色（ＧＲＥＥＮ）」の発射状態を表示するように、容易に見ることができ、そして発射後に、緑色の状態インジケータが赤色の発射レバーを露出させるように飛び出して、そこで作動不能な「ノーゴー（ＮＯ−ＧＯ）」又は「赤色」の状態を容易に見ることができる。
【００１０】
本発明の他の目的は、膨張物品にヒートシールされた米国特許第７，４７５，７１１号および第５，５６４，４７８号に示されるような手動インフレータ用ポップオフ（ＰＯＰ−ＯＦＦ）インジケータを提供することである。
【００１１】
上記は、本発明の関連する目的のいくつかを概説したものである。
【００１２】
これらの目的は、意図された発明のより顕著な特徴および用途のいくつかを単に例示すると解釈されるべきである。本開示の範囲内で開示された発明を異なる方法で適用するか、または本発明を変更することによって、多くの他の有益な結果が達成され得る。したがって、添付の図面と併せて請求項によって定義される本発明の範囲に加えて、他の目的は、本発明と好ましい実施形態の詳細な説明の十分な理解である。
【課題を解決するための手段】
【００１３】
本発明を要約する目的で、本発明は、インフレータが以前に発射されたかどうかを表示するためのインフレータ用インジケータを備える。より具体的には、本発明は、好ましくは緑色で「準備完了」状態を示すインジケータを備え、そのインジケータは、インフレータの筐体に適合し、好ましくは赤色の発射レバーを包み込み、隠すように寸法決めされ、構成されている。インフレータを発射するためにジャークハンドルを引っ張ると、発射レバーが外側に旋回し、インジケータが筐体から飛び出し、それにより、インフレータが発射されたことを示す赤色の発射レバーが露出する。
【００１４】
インジケータは、インフレータの発射時に砕ける破断可能なブリッジによってインフレータの筐体の所定位置に保持されてもよい。破断可能なブリッジは、一度使用された後に使用済みインジケータの再使用を試みることを妨げることを意図している。
【００１５】
破断可能なブリッジに代えて、またはそれに加えて、インジケータは、インフレータの筐体に装着されたとき、広げられたり、広がったりして、そこでインフレータの筐体に単にスナップ嵌めされて、インジケータを構成する材料の固有の弾力性により更に厳密な位置に保持される。
【００１６】
いずれの実施形態においても、インジケータの内側表面から出ているタブは、筐体にスナップ嵌めされたときにより確実な係合を提供するために、インフレータにおける対応するギャップまたはスロットに係合するように設けられている。
【００１７】
特に、本発明の状態インジケータは、あらゆる角度から見たときに容易に視認可能である。さらに、緑色の状態インジケータは、赤色の発射レバーを完全に覆っているので、「緑色」状態の準備完了状態において、緑色の状態インジケータが赤色の発射レバーを隠して、「ゴー」又は「緑色」発射状態を容易に見ることができる。発射レバーを引っ張ることにより発射した後、インジケータはポップオフされて赤い発射レバーを再度表示し、それにより動作不能な「ノー・ゴー」または「赤色」状態を容易に視認可能に表示する。
【００１８】
前述のことは、以下の本発明の詳細な説明がよりよく理解されるように、本発明のより適切、かつ重要な特徴をかなり広範に概説しているので、当該技術への現在の貢献をより完全に理解することができる。本発明の特許請求の範囲の主題を形成する本発明の追加の特徴を以下に説明する。開示された概念および具体的な実施形態は、本発明の同じ目的を実行するための他の構造を変更または設計するための基礎として容易に利用され得ることは、当業者には理解されるべきである。また、当業者であれば、添付の特許請求の範囲に記載された本発明の精神および範囲からその等価な構成が逸脱しないことも理解されるべきである。
【００１９】
本発明の本質および目的を完全に理解するために、添付の図面に関連して以下の詳細な説明を参照すべきである。図面における同じ参照符号は、図面のいくつかの図を通して同様の部分に関係する。
【図面の簡単な説明】
【００２０】
【図１Ａ】図１Ａは、インフレータに取り付けられたインジケータを示す頂部右斜視図である。
【図１Ｂ】図１Ｂは、インジケータが取り付けられていないインフレータを示す頂部右斜視図である。
【図１Ｃ】図１Ｃは、インフレータに取り付けられていないインジケータのみを示す頂部右斜視図である。
【図２Ａ】図２Ａは、インフレータに取り付けられたインジケータを示す底部左斜視図である。
【図２Ｂ】図２Ｂは、インジケータが取り付けられていないインフレータを示す底部左斜視図である。
【図２Ｃ】図２Ｃは、インフレータに取り付けられていないインジケータのみを示す底部左斜視図である。
【図３】図３は、排気口を示すインフレータの背面図である。
【図４】図４は、インジケータの正面図である。
【図５】図５は、インジケータの左側面図である。
【図６】図６は、インジケータの右側面図である。
【図７】図７は、インジケータの上面図である。
【図８】図８は、インジケータの底面図である。
【図９】図９は、インジケータの背面図である。
【図１０Ａ】図１０Ａは、インジケータの後方斜視図であって、インジケータをインフレータにより確実に保持するタブを示す。
【図１０Ｂ】図１０Ｂは、インジケータの後方斜視図であって、インジケータをインフレータにより確実に保持するタブを示す。
【図１１】図１１は、図１Ａの線１１−１１に沿ったインフレータの断面図である。
【発明を実施するための形態】
【００２１】
本発明のインジケータ１０は、インフレータ１２の「準備完了」動作状態を示すためにインフレータ１２にスナップ嵌めされるように意図されている。発射レバー２４を回動させるようにジャークハンドル２２を引っ張ることによって起動させると、発射レバー２４はインジケータ１０をインフレータ１２から飛び出し、それにより、「発射された」作動不能な動作状態を示す。
【００２２】
インフレータ１２は様々な形状とサイズで提供される。しかし、本発明のインジケータ１０は、特定のスタイルのインフレータ１２に適合するように適切に構成され、寸法決めされてもよいことが理解されであろう。したがって、本発明のインジケータ１０に関するこの詳細な説明のために、米国特許第７，４７５，７１１号に開示されているヒートシール可能なインフレータ１２が、例示的に参照され、その開示内容は参照により本明細書に組み込まれ、概ね矩形状の筐体１４を含んでいる。したがって、インジケータ１０は、そのようなインフレータ１２の概ね矩形状の筐体１４の周りに適合するように構成され、寸法決めされる。
【００２３】
より具体的には、ヒートシール可能なインフレータ１２は、典型的には、側壁１４Ｗを備え、救命胴衣、救命ボート（図示せず）等のような膨張可能な物品にヒートシールされ得るポリウレタンのようなヒートシール可能な材料からなる一体的な周縁フランジ１６を有する、概ね長方形の筐体１４を備えている。インフレータ１２は、ガスシリンダ１８（図１Ａにおいて破線で示されている）の螺刻されたネックが装着されるように構成されており、発射時に、ガスカートリッジ１８からのガスがインフレータ１２を通って、その排出口２０（図３参照）から膨張可能な物品内に流れ込む。
【００２４】
インフレータ１２の発射は、ストラップ（ＬＡＮＹＡＲＤ）２６によりジャークハンドル２４に繋がれた発射レバー２２（図２Ｂ参照）によって実現される。発射レバー２２は、ストラップ２６が挿入され、ステーキング（繋ぐ）などによってしっかりと永久に固定される直立アーム２８を有する概ねＬ形状の構成を備える。発射レバー２２の下脚部３０は、ジャークハンドル２４を引っ張る時に発射レバー２２が旋回ピン３２を中心に旋回することを可能にするように、旋回ピン３２が挿入される旋回孔を備える。発射レバー２２の下脚部３０は、内部の穿孔ピンアセンブリの発射ピンに対して作動可能に設計されたカム面を含み、ガスカートリッジ１８の破れやすいシールを破り、そこでガスカートリッジ１８からのガスがインフレータ１２を通り、排出口２０から膨張物品に流れ込む。
【００２５】
インフレータの筐体１４は、直立アーム２８と下脚部３０とが筐体の対応する側壁および底壁と実質的に同一平面になるように、発射レバー２２の直立アーム２８と下脚部３０がそれぞれ入り込んでいる直立側凹部２２ＳＲと下側凹部２２ＬＲとを含んでもよい。
【００２６】
ここで、図１Ｃ、図２Ｃおよび図４−１１に示すように、本発明のインジケータ１０の明細書を検討すると、インジケータ１０は、筐体１４の矩形状に対応する概ね矩形の形状を有する。より詳細には、インジケータ１０は、Ｕ字形の構成を形成するために底壁３８によって互いに接合された長辺側壁３４と短辺側壁３６とによって画定された概ねＵ字形の構成を備えている。好ましくは、長辺側壁３４は、インフレータの発射レバー２２の直立アーム２８を完全に覆い、そして隠すように構成されて、寸法決めされている。同様に、インジケータ１０の底壁３８は、発射レバー２２の下脚部３０を覆い、そして隠すように適切に構成されて、寸法決めされている。
【００２７】
コーナ壁３４／３８は、長辺側壁３４の底部と底壁３８の左側部分とを相互接続し、コーナ壁３８／３６は、底壁３８の右側部分と短辺側壁３６とを相互接続する。長辺側壁３４、底壁３８、および短辺側壁３６の前側端部は、弓状の縁部壁３４Ｅ、３８Ｅおよび３６Ｅをそれぞれ含んでもよい。同様に、コーナ壁３４／３８および３８／３６は、それぞれ弓状の縁部壁３４／３８Ｅおよび３８／３６Ｅを含んでもよい。弓形の縁部壁３４／３８Ｅ、３８／３６Ｅ、３４Ｅ、３８Ｅおよび３６Ｅに連結されたコーナ壁３４／３８および３８／３６は、インフレータ１２の概ね矩形状の筐体１４における対応する丸い縁部の周りをより完全に包囲して、発射レバー２２を下に更に完全に隠している。
【００２８】
相互接続しているコーナ壁３４／３８および３８／３６および弓状の縁部壁３４／３８Ｅ、３８／３６Ｅ、３４Ｅ、３８Ｅおよび３６Ｅを有する側壁３４、３６および３８は、インジケータ１０を筐体１４上に更に確実に載せている。なお、任意に、インジケータ１０の側壁３４および３６は、筐体１４の対応する側壁にスナップ嵌めし、筐体１４に対してより強く把持するように、側壁３４および３６を広げなければならない程度が増大するように、わずかに収縮した構成で射出成形されてもよい。
【００２９】
インジケータ１０の射出成形において、側壁３４および３６の縁部壁３４Ｅおよび３６Ｅの間の距離を掛け渡すように、薄い材料からなる任意のブリッジ４０を一体的に形成してもよい。ブリッジ４０は、インフレータ１２の筐体１４の対応する側壁における側壁３４および３６をよりしっかりと保持する。ブリッジ４０は、インフレータの本体における対応するスロット４０Ｓと整列しており、好ましくは実質的に同一面上に延びてもよい。使用中において、インフレータ１２の発射時において、発射レバー２２は、旋回ピン３２の周りに外向きに旋回し、インジケータ１０がインフレータの筐体１４から飛び出したときに、ブリッジ４０をスロット４０Ｓから強制的に飛び出させる。
【００３０】
好ましくは、ブリッジ４０は、薄い材料で構成されているか、または部分的に形成された切欠き４０Ｎを有することにより、破断可能であり、その結果、ブリッジ４０は、発射レバー２２が旋回ピン３２の周りに外方に旋回してブリッジ４０がスロット４０Ｓから外に出るとき、切欠き４０Ｎで強制的に、そして潜在的に薄く弱い点４０Ｐで強制的に破断する。以前に使用されたインジケータ１０の破断したブリッジ４０は、それを再使用しないように視覚的に示すことを提供する。再使用が試みたとしても、発射レバー２２が筐体１４の凹部２２ＳＲ、２２ＬＲに押し込まれた準備状態にリセットされない限り、以前に使用されたインジケータ１０を取り付けることができない。
【００３１】
インジケータ１０の側壁３４，３６およびブリッジ４０には、インジケータ１０を筐体１４上により確実に保持するために、インフレータ１２における対応する既存のまたは特別に構成されたスロット４４に適合するように適切に整列され、寸法決めされた一体的に成型されたタブ４２を設けてもよい。
【００３２】
例えば、図１０Ａ、図１０Ｂおよび図１１に最もよく示されているように、インジケータ１０の長辺側壁３４上のタブ４２Ｌは、発射レバー２２の直立アーム２８の上端部の間の凹部２２ＳＲに適合する内向きのタブ４２Ｌを含んでもよい。タブ４２Ｌは、凹部２２ＳＲへの挿入を容易にする角度４２ＬＡが設けられている。対応して、インジケータ１０の短辺側壁３６は、筐体１４の側面に形成された対応する凹部１４Ｒに適合するように適切に整列しており、寸法決めされた内向きのタブ４２Ｓを含んでもよい。タブ４２Ｓは、同様に、凹部２２ＬＲへの挿入を容易にするために角度４２ＳＡを含んでもよい。また対応して、インジケータ１０の底壁３８は、発射レバー２２の下脚部３０の間で下側凹部２２ＬＲに適合するように適切に整列して、寸法決めされた内向きのタブ４２Ｂを含んでもよい。同様に、タブ４２Ｂは、凹部２２ＬＲへの挿入を容易にするために角度４２ＢＡを含んでもよい。
【００３３】
下脚部３０が曲がり始める位置に発射レバー２２の下脚部３０の間のスペースを下側凹部２２ＬＲに適合するように、筐体１４の角部と整列したタブ４２Ｃのような追加のタブを設けてもよい。タブ４２Ｃは、凹部２２ＬＲへの挿入を容易にするための角度４２ＣＡを含んでもよい。また、タブ４２Ｃは、下側凹部２２ＬＲに形成されたリップ１４Ｌに引っ掛けられ、挿入を容易にするために、上方に延びるフック４２ＣＨ、また角度４２ＣＨＡを備えたものを含んでもよい。
【００３４】
内側に延びるタブ４２Ｂ１および４２Ｂ２は、スロット４０２内のセンタリングを容易にするため、筐体１４の前面に形成されたスロット４０Ｓに嵌まるように、そしてブリッジ４０が切欠き４０Ｎで破断され安さを増大させるために、ブリッジ４０に沿って設けてもよい。
【００３５】
インジケータ１０を構成する材料の固有の弾力性と結合されたタブ４２は、側壁３４および３６が筐体１４の対応する側壁に嵌め込まれるように別々に広がる程度に増大させているが、インジケータ１０は、すなわち、側壁３４および３６がインフレータ１２の発射時に発射レバー２２によって別々に押し付けられるまで、より確実に定位置に保持されることを保証する。
【００３６】
好ましくは、発射レバー２２は赤色であり、インジケータ１０は緑色である。インジケータ１２が緑色のインジケータ１０が筐体１４にスナップ嵌めされて赤色の発射レバー２２を完全に覆い隠すとき、インジケータ１０はあらゆる方向から視覚的に「作動可能（ＡＲＭＥＤ）」または「準備完了（ＲＥＡＤＹ）」の動作可能状態を示す。発射レバー２２を旋回させるためにジャークハンドル２４を引っ張ることによって起動すると、ブリッジ４０が破断し、インジケータ１０がインフレータ１２の筐体１４から飛び出す。この「作動不能（ＵＮＡＲＭＥＤ）」状態または「発射された（ＦＩＲＥＤ）」状態の間、赤い発射レバー２２は、全方向から、インフレータ１２が作動不能であることを視覚的に示す。
【００３７】
本開示は、添付の特許請求の範囲に含まれるもの、および前述の説明のものを含む。本発明はある程度の特殊性をもって好ましい形態で記載されてきたが、好ましい形態の本開示は例としてであり、構造の詳細および部分的な組合せおよび配置における多くの変更が、本発明の精神および範囲から逸脱することなく、行われることが理解できる。
【図１Ａ】
0006670321.tif 000002
【図１Ｂ】
0006670321.tif 000003
【図１Ｃ】
0006670321.tif 000004
【図２Ａ】
0006670321.tif 000005
【図２Ｂ】
0006670321.tif 000006
【図２Ｃ】
0006670321.tif 000007
【図３】
0006670321.tif 000008
【図４】
0006670321.tif 000009
【図５】
0006670321.tif 000010
【図６】
0006670321.tif 000011
【図７】
0006670321.tif 000012
【図８】
0006670321.tif 000013
【図９】
0006670321.tif 000014
【図１０Ａ】
0006670321.tif 000015
【図１０Ｂ】
0006670321.tif 000016
【図１１】
0006670321.tif 000017